(57)【要約】【課題】限られたスペース内でハンマ体の回動範囲を確保しつつ、前後方向において装置全体をコンパクトにする。【解決手段】鍵１０、鍵２０において、本体１６、２６が、鉛直方向に延び鍵並び方向に平行なヒンジ部１７、２７を介して共通基端部１８Ａ、１８Ｂ、２８に接続される。共通基端部１８Ａ、１８Ｂ、２８が重ねられて、フレーム４０における締結用部位Ｐ３に締結固定される。ハンマ体３０は、押鍵往行程において、ハンマ回動軸４３を中心に後端部が上方に変位するように支持される。ハンマ体３０の後端位置３２ｐ１は黒鍵２０の見えがかり部の最後位置２６ｐ１よりも前方に位置し、ハンマ回動軸４３は最前位置２６ｐ２よりも後方に位置する。鍵スイッチ５９が配設された板状部５４は、黒鍵２０の見えがかり部の最後位置２６ｐ１よりも前方に位置し、且つ、締結用部位Ｐ３よりも上方に位置する。【選択図】図２
2010078788.tif 000002
【特許請求の範囲】
【請求項１】
複数のハンマ支持部を有し、樹脂で一体に形成され、楽器本体に支持されるフレームと、
前記フレームに並列的に配設され、各々、鍵本体部が薄板状のヒンジ部を介して基端部に接続され、前記基端部を鍵支点部として前記鍵本体部が押離鍵方向に揺動自在にされた複数の白鍵及び黒鍵と、
前記複数の各鍵に対応して並列的に配設され、各々、対応する鍵の下方において対応する鍵に連動して前記フレームの前記ハンマ支持部を中心として回動し、押鍵往行程において前記ハンマ支持部より前方の前半部が対応する鍵によって駆動されて後端部が上方に変位するように該ハンマ支持部に支持され、対応する鍵の揺動動作に対して慣性を付与するための複数のハンマ体と、
前記鍵に押圧されて該鍵の動作を検出する検出手段と、
前記フレームに一体に設けられ、前記検出手段が設けられる検出手段配設部とを有し、
前記複数の鍵は、各々の前記基端部同士が重ねられた状態で、締結手段によって前記フレームの締結用部位に締結固定されることで前記フレームに配設され、
前記各鍵において、前記ヒンジ部は、前記鍵本体部の押鍵面に対して交差する方向及び鍵並び方向に平行に形成され、
前記ハンマ体の後端位置は、前記黒鍵の、演奏時に視認され得る見えがかり部の最後位置よりも前方に位置し、
前記ハンマ支持部は、前記黒鍵の前記見えがかり部の最前位置よりも後方に位置し、
前記検出手段配設部は、前記黒鍵の前記見えがかり部の前記最後位置よりも前方に位置し、且つ、前記フレームの前記締結用部位よりも上方に位置することを特徴とする鍵盤装置。
【請求項２】
複数のハンマ支持部を有し、樹脂で一体に形成され、楽器本体に支持されるフレームと、
前記フレームに並列的に配設され、各々、鍵本体部が薄板状のヒンジ部を介して基端部に接続され、前記基端部を鍵支点部として前記鍵本体部が押離鍵方向に揺動自在にされた複数の及び黒鍵と、
前記複数の各鍵に対応して並列的に配設され、各々、対応する鍵の下方において対応する鍵に連動して前記フレームの前記ハンマ支持部を中心として回動自在し、押鍵往行程において前記ハンマ支持部より前方の前半部が対応する鍵によって駆動されて後端部が上方に変位するように該ハンマ支持部に支持され、対応する鍵の揺動動作に対して慣性を付与するための複数のハンマ体と、
前記ハンマ支持部よりも前方に、前記フレームに対して一体または別体で設けられ、前記ハンマ体の前記前半部と当接して、押離鍵行程における押鍵初期位置に対応する前記ハンマ体の回動初期位置を規制する初期ストッパと、
前記ハンマ支持部よりも後方に、前記フレームに対して一体または別体で設けられ、前記ハンマ体の前記後端部と当接して、押離鍵行程における押鍵終了位置に対応する前記ハンマ体の回動終了位置を規制する終了ストッパとを有し、
前記複数の鍵は、各々の前記基端部同士が重ねられた状態で、締結手段によって前記フレームの締結用部位に締結固定されることで前記フレームに配設され、
前記各鍵において、前記ヒンジ部は、前記鍵本体部の押鍵面に対して交差する方向及び鍵並び方向に平行に形成され、
前記ハンマ体の後端位置は、前記黒鍵の、演奏時に視認され得る見えがかり部の最後位置よりも前方に位置し、
前記ハンマ支持部は、前記黒鍵の前記見えがかり部の最前位置よりも後方に位置することを特徴とする鍵盤装置。
【請求項３】
前記検出手段の最下位置は、上下方向において、前記鍵における前記鍵本体部及び前記ヒンジ部の接続位置と前記フレームの前記締結用部位との間であることを特徴とする請求項１記載の鍵盤装置。
【請求項４】
前記検出手段の最下位置は、前記鍵における前記基端部及び前記ヒンジ部の接続位置よりも上方であることを特徴とする請求項１または３記載の鍵盤装置。
【請求項５】
前記検出手段の最下位置は、前記鍵における前記鍵本体部及び前記ヒンジ部の接続位置と前記鍵における前記基端部及び前記ヒンジ部の接続位置との間であることを特徴とする請求項４記載の鍵盤装置。
【請求項６】
前記ハンマ支持部よりも後方に、前記フレームに対して一体または別体で設けられ、前記ハンマ体の前記後半部と当接して、押離鍵行程における押鍵終了位置に対応する前記ハンマ体の回動終了位置を規制する終了ストッパと、前記フレームに一体に形成され、前記終了ストッパが配設される終了ストッパ配設部とを有し、前記終了ストッパ配設部は、上下方向において、前記鍵における前記鍵本体部及び前記ヒンジ部の接続位置と前記フレームの前記締結用部位との間に配設されたことを特徴とする請求項１、３〜５のいずれか１項に記載の鍵盤装置。
【請求項７】
前記終了ストッパ配設部は、前記鍵における前記基端部及び前記ヒンジ部の接続位置と略同一高さに配設されたことを特徴とする請求項６記載の鍵盤装置。
【請求項８】
前記終了ストッパ配設部は、前記検出手段の下方に位置することを特徴とする請求項６または７記載の鍵盤装置。
【請求項９】
回動終了位置における前記ハンマ体の前記後端部の最上位置に対して、前記鍵の前記基端部の最下位置の方が低いことを特徴とする請求項１〜８のいずれか１項に記載の鍵盤装置。
【請求項１０】
前記フレームに一体にまたは別体で設けられ、当該鍵盤装置の使用時において、当該鍵盤装置の構成要素のうち前記フレーム以外の構成要素と当接係合する複数のフレーム機能部と、前記フレームに一体に形成され、前記複数の各フレーム機能部が配設されて、各々、配設されたフレーム機能部を介して外力を受ける部分である複数の機能部配設部とを有し、前記機能部配設部のうち複数が、上下方向において、前記鍵における前記鍵本体部及び前記ヒンジ部の接続位置と前記フレームの前記締結用部位との間に配設されたことを特徴とする請求項１〜９のいずれか１項に記載の鍵盤装置。
【請求項１１】
前記フレーム機能部には、前記フレームに一体に設けられ該フレームを前記楽器本体に支持するために前記楽器本体に当接する本体当接部と、前記ハンマ支持部とが含まれ、前記フレーム機能部のうち、前記本体当接部及び前記ハンマ支持部を除くフレーム機能部のすべてが、前記鍵の前記基端部の最下位置よりも上方に配設されたことを特徴とする請求項１０記載の鍵盤装置。
【発明の詳細な説明】
【技術分野】
【０００１】
本発明は、樹脂で一体に形成され複数の鍵を揺動自在に支持するフレームを有する鍵盤装置に関し、特に、鍵に連動して回動して鍵に慣性を付与するハンマ体がフレームに支持される鍵盤装置に関する。
【背景技術】
【０００２】
従来、鍵盤装置において、樹脂で一体に形成され、複数の鍵を揺動自在に支持するフレームが楽器本体に支持されたものが知られている。その中でも、鍵に連動して回動し、対応する鍵の揺動動作に対して慣性を付与する複数のハンマ体がフレームに支持された鍵盤装置も知られている（下記特許文献１、２）。
【０００３】
下記特許文献１、２の鍵盤装置では、ハンマ体が鍵の下方に配設され、ハンマ体が鍵によって駆動されてハンマ体支持部を中心に回動するようになっている。
【０００４】
また、上記特許文献１、２の鍵盤装置では、押鍵動作を検出する検出手段である押鍵センサが設けられる。この押鍵センサは、ハンマ体によって押圧されるように、ハンマ体の下方に配設されている。
【特許文献１】特許第３８１９１３６号公報
【特許文献２】特開平９−２６９７８３号公報
【特許文献３】特開２００８−２６４０３号公報
【発明の開示】
【発明が解決しようとする課題】
【０００５】
しかしながら、上記特許文献１、２の鍵盤装置では、ハンマ体と当接してハンマ体の回動初期位置及び回動終了位置を規制する初期ストッパ及び終了ストッパが、ハンマ体支持部からみて前後方向における同じ側に配設されている。そのため、金型による一体成形を容易に行う観点から、フレームの、初期ストッパ、終了ストッパが配設される部分を、前後方向に多少ずらす必要がある。その結果、フレームの前後方向の長さが延びることになる。
【０００６】
実際、上記特許文献１では、ハンマ体の後端部が鍵の後端部よりも後方に突出し、上記特許文献２では、ハンマ体の前端部が鍵の前端部よりも前方に突出しており、鍵盤装置全体として、前後方向に長くなっている。
【０００７】
また、上記特許文献１、２の鍵盤装置では、押鍵センサが、ハンマ体の下方に配設されてハンマ体によって押圧されるように設けられるので、ハンマ体の回動範囲に制約が生じ、十分な回動範囲を確保するためには、鍵盤装置の上下方向の寸法が大きくなる傾向にある。
【０００８】
ところで、鍵盤装置の前後長さを短縮するために、鍵を、鍵本体部が薄板状のヒンジ部を介して基端部に接続されるように構成し、且つ、基端部を垂直方向に延設した鍵盤装置も知られている（上記特許文献３）。
【０００９】
しかしながら、この鍵盤装置は、ハンマ体を有している場合の構成については詳細な考察がなされておらず、ハンマ体を配設した上で、なおかつ、鍵盤装置全体のコンパクト化を図る上で、検討の余地がある。
【００１０】
本発明は上記従来技術の問題を解決するためになされたものであり、その目的は、限られたスペース内でハンマ体の回動範囲を確保しつつ、前後方向において装置全体をコンパクトにすることができる鍵盤装置を提供することにある。
【課題を解決するための手段】
【００１１】
上記目的を達成するために本発明の請求項１の鍵盤装置は、複数のハンマ支持部（４３）を有し、樹脂で一体に形成され、楽器本体（１９）に支持されるフレーム（４０）と、前記フレームに並列的に配設され、各々、鍵本体部（１６、２６）が薄板状のヒンジ部（１７、２７）を介して基端部（１８、２８）に接続され、前記基端部を鍵支点部として前記鍵本体部が押離鍵方向に揺動自在にされた複数の白鍵（１０）及び黒鍵（２０）と、前記複数の各鍵に対応して並列的に配設され、各々、対応する鍵の下方において対応する鍵に連動して前記フレームの前記ハンマ支持部を中心として回動し、押鍵往行程において前記ハンマ支持部より前方の前半部（３０ｆ）が対応する鍵によって駆動されて後端部（３２）が上方に変位するように該ハンマ支持部に支持され、対応する鍵の揺動動作に対して慣性を付与するための複数のハンマ体（３０）と、前記鍵に押圧されて該鍵の動作を検出する検出手段（５９）と、前記フレームに一体に設けられ、前記検出手段が設けられる検出手段配設部（５４）とを有し、前記複数の鍵は、各々の前記基端部同士が重ねられた状態で、締結手段（７２）によって前記フレームの締結用部位（Ｐ３）に締結固定されることで前記フレームに配設され、前記各鍵において、前記ヒンジ部は、前記鍵本体部の押鍵面（１６ａ、２６ａ）に対して交差する方向及び鍵並び方向に平行に形成され、前記ハンマ体の後端位置（３２ｐ１）は、前記黒鍵の、演奏時に視認され得る見えがかり部の最後位置（２６ｐ１）よりも前方に位置し、前記ハンマ支持部は、前記黒鍵の前記見えがかり部の最前位置（２６ｐ２）よりも後方に位置し、前記検出手段配設部は、前記黒鍵の前記見えがかり部の前記最後位置よりも前方に位置し、且つ、前記フレームの前記締結用部位（Ｐ３）よりも上方に位置することを特徴とする。
【００１２】
上記目的を達成するために本発明の請求項２の鍵盤装置は、複数のハンマ支持部（４３）を有し、樹脂で一体に形成され、楽器本体（１９）に支持されるフレーム（４０）と、前記フレームに並列的に配設され、各々、鍵本体部（１６、２６）が薄板状のヒンジ部（１７、２７）を介して基端部（１８、２８）に接続され、前記基端部を鍵支点部として前記鍵本体部が押離鍵方向に揺動自在にされた複数の（１０）及び黒鍵（２０）と、前記複数の各鍵に対応して並列的に配設され、各々、対応する鍵の下方において対応する鍵に連動して前記フレームの前記ハンマ支持部を中心として回動自在し、押鍵往行程において前記ハンマ支持部より前方の前半部（３０ｆ）が対応する鍵によって駆動されて後端部（３２）が上方に変位するように該ハンマ支持部に支持され、対応する鍵の揺動動作に対して慣性を付与するための複数のハンマ体（３０）と、前記ハンマ支持部よりも前方に、前記フレームに対して一体または別体で設けられ、前記ハンマ体の前記前半部と当接して、押離鍵行程における押鍵初期位置に対応する前記ハンマ体の回動初期位置を規制する初期ストッパ（４８）と、前記ハンマ支持部よりも後方に、前記フレームに対して一体または別体で設けられ、前記ハンマ体の前記後端部と当接して、押離鍵行程における押鍵終了位置に対応する前記ハンマ体の回動終了位置を規制する終了ストッパ（５５）とを有し、前記複数の鍵は、各々の前記基端部同士が重ねられた状態で、締結手段（７２）によって前記フレームの締結用部位（Ｐ３）に締結固定されることで前記フレームに配設され、前記各鍵において、前記ヒンジ部は、前記鍵本体部の押鍵面（１６ａ、２６ａ）に対して交差する方向及び鍵並び方向に平行に形成され、前記ハンマ体の後端位置（３２ｐ１）は、前記黒鍵の、演奏時に視認され得る見えがかり部の最後位置（２６ｐ１）よりも前方に位置し、前記ハンマ支持部は、前記黒鍵の前記見えがかり部の最前位置（２６ｐ２）よりも後方に位置することを特徴とする。
【００１３】
好ましくは、前記検出手段の最下位置（５９ｐ１）は、上下方向において、前記鍵における前記鍵本体部及び前記ヒンジ部の接続位置（Ｐ１）と前記フレームの前記締結用部位（Ｐ３）との間である（請求項３）。
【００１４】
好ましくは、前記検出手段の最下位置（５９ｐ１）は、前記鍵における前記基端部及び前記ヒンジ部の接続位置（Ｐ２）よりも上方である（請求項４）。
【００１５】
好ましくは、前記検出手段の最下位置（５９ｐ１）は、前記鍵における前記鍵本体部及び前記ヒンジ部の接続位置（Ｐ１）と前記鍵における前記基端部及び前記ヒンジ部の接続位置（Ｐ２）との間である（請求項５）。
【００１６】
好ましくは、前記ハンマ支持部よりも後方に、前記フレームに対して一体または別体で設けられ、前記ハンマ体の前記後半部と当接して、押離鍵行程における押鍵終了位置に対応する前記ハンマ体の回動終了位置を規制する終了ストッパ（５５）と、前記フレームに一体に形成され、前記終了ストッパが配設される終了ストッパ配設部（５４）とを有し、前記終了ストッパ配設部は、上下方向において、前記鍵における前記鍵本体部及び前記ヒンジ部の接続位置（Ｐ１）と前記フレームの前記締結用部位（Ｐ３）との間に配設される（請求項６）。
【００１７】
好ましくは、前記終了ストッパ配設部（５４）は、前記鍵における前記基端部及び前記ヒンジ部の接続位置（Ｐ２）と略同一高さに配設される（請求項７）。
【００１８】
好ましくは、前記終了ストッパ配設部は、前記検出手段の下方に位置する（請求項８）。
【００１９】
好ましくは、回動終了位置における前記ハンマ体の前記後端部の最上位置（Ｈ５）に対して、前記鍵の前記基端部の最下位置（Ｈ６）の方が低い（請求項９）。
【００２０】
好ましくは、前記フレームに一体にまたは別体で設けられ、当該鍵盤装置の使用時において、当該鍵盤装置の構成要素のうち前記フレーム以外の構成要素と当接係合する複数のフレーム機能部（４１、４３、４５、４８、５０、５５、５９）と、前記フレームに一体に形成され、前記複数の各フレーム機能部が配設されて、各々、配設されたフレーム機能部を介して外力を受ける部分である複数の機能部配設部（４１、４７、４９、５４）とを有し、前記機能部配設部のうち複数（４９、５４）が、上下方向において、前記鍵における前記鍵本体部及び前記ヒンジ部の接続位置（Ｐ１）と前記フレームの前記締結用部位（Ｐ３）との間に配設される（請求項１０）。
【００２１】
好ましくは、前記フレーム機能部には、前記フレームに一体に設けられ該フレームを前記楽器本体に支持するために前記楽器本体に当接する本体当接部（４１、４５）と、前記ハンマ支持部（４３）とが含まれ、前記フレーム機能部のうち、前記本体当接部及び前記ハンマ支持部を除くフレーム機能部のすべて（４８、５０、５５、５９）が、前記鍵の前記基端部の最下位置（Ｈ６）よりも上方に配設される（請求項１１）。
【００２２】
なお、上記括弧内の符号は例示である。
【発明の効果】
【００２３】
本発明の請求項１、２によれば、限られたスペース内でハンマ体の回動範囲を確保しつつ、前後方向において装置全体をコンパクトにすることができる。
【００２４】
請求項３、４、５によれば、検出手段の下方のスペースを大きくして、ハンマ体の回動範囲を確保しやすくすることができる。
【００２５】
請求項６、７によれば、ハンマ体の回動範囲を確保すると共に終了ストッパの厚みを適切に確保しつつ、フレーム高さを抑えることができる。
【００２６】
請求項８によれば、装置後部に検出手段と終了ストッパ配設部を集中配置し、部品配置効率を高めて、装置のコンパクト化に寄与することができる。
【００２７】
請求項９によれば、設計上、基端部を鉛直方向に延設容易にして、鍵の全長を短くし、装置を前後方向にコンパクトにすることができる。
【００２８】
請求項１０によれば、機能部配設部をフレームの上部において集中配置してハンマ体の回動範囲を確保すると共に、フレーム高さを抑えることができる。
【００２９】
請求項１１によれば、本体当接部及びハンマ支持部以外のフレーム機能部をフレームの上部において集中配置してハンマ体の回動範囲を確保すると共に、フレーム高さを抑えることができる。
【発明を実施するための最良の形態】
【００３０】
以下、本発明の実施の形態を図面を参照して説明する。
【００３１】
図１は、本発明の一実施の形態に係る鍵盤装置の内部構成を示す側面図である。本鍵盤装置は、例えば、電子鍵盤楽器に適用され、樹脂で一体に形成されるフレーム４０に、それぞれ複数の白鍵１０、黒鍵２０、ハンマ体３０が配設されてなる。本鍵盤装置に対して、奏者が位置する側を前側とする。従って、同図左方、右方がそれぞれ前方、後方である。また、左右方向については、奏者からみた方向を基準とする。
【００３２】
図２は、本鍵盤装置において鍵１０、２０が押鍵されている状態を示す側面図である。図１においては、白鍵１０、黒鍵２０、ハンマ体３０は、押鍵されていない初期状態が示される。
【００３３】
図１、図２に示すように、白鍵１０、黒鍵２０は、左右方向（「鍵並び方向」とも称する）に沿ってそれぞれ複数が並列的に配列される。ハンマ体３０は、鍵並び方向に沿って複数が並列的に配列される。ハンマ体３０は、各鍵に対応して設けられ、それぞれ対応する鍵の下方に配設され、対応する鍵の揺動動作に対して慣性を付与する。フレーム４０は、１オクターブ分で構成されるが、複数の鍵域に亘る長さであればよく、全鍵幅に構成してもよい。
【００３４】
特開２００８−２６４０３号公報で示されるのと同様に、白鍵１０、黒鍵２０は、複数が一体となった鍵ユニットとして構成されている。鍵ユニットは、例えば、１オクターブを単位として構成され、２つの白鍵ユニットＷＵ１、ＷＵ２と、黒鍵ユニットＢＵとが積層状態に組み付けられてなる。白鍵、黒鍵ユニットＷＵ１、ＷＵ２、ＢＵは、各々、樹脂で一体成形により構成される。１つの鍵ユニットにおける鍵数は、１オクターブ分の数に限られるものではない。
【００３５】
黒鍵ユニットＢＵは、音高Ｃ＃、Ｄ＃、Ｆ＃、Ｇ＃、Ａ＃に相当する黒鍵本体２６を有する黒鍵２０を備える。白鍵ユニットＷＵ１は、音高Ｃ、Ｅ、Ｇ、Ｂに相当する白鍵本体１６を有する白鍵１０を備え、白鍵ユニットＷＵ２は、音高Ｄ、Ｆ、Ａに相当する白鍵本体１６を有する白鍵１０を備える。白鍵本体１６、黒鍵本体２６の各上面は、押鍵面１６ａ、２６ａとして機能する。
【００３６】
黒鍵ユニットＢＵにおいて、各黒鍵本体２６の後端部から薄板状のヒンジ部２７が下方に延設され、ヒンジ部２７の下端部が、１オクターブ分の長さに亘る黒鍵共通基端部２８に接続されている。ヒンジ部２７及び黒鍵共通基端部２８は、鉛直方向に延び、鍵並び方向（左右方向）に平行である。各黒鍵本体２６は、対応するヒンジ部２７を介して、黒鍵共通基端部２８を鍵支点部として上下方向（押離鍵方向）に揺動自在である。
【００３７】
黒鍵ユニットＢＵと同様に、白鍵ユニットＷＵ１、ＷＵ２において、各白鍵本体１６の後端部から、ヒンジ部１７が下方に延設され、ヒンジ部１７の下端部が、白鍵共通基端部１８（１８Ａ、１８Ｂ）に接続されている。各白鍵本体１６は、対応するヒンジ部１７を介して白鍵共通基端部１８Ａ、１８Ｂを鍵支点部として上下方向に回動自在である。ヒンジ部１７、２７及び共通基端部１８、２８は、いずれも鉛直方向に延び、それぞれ押鍵面１６ａ、２６ａとはほぼ直角を成し、鍵並び方向には平行である。
【００３８】
白鍵ユニットＷＵ１、ＷＵ２及び黒鍵ユニットＢＵが鍵ユニットとして組み付けられる際には、それぞれの共通基端部である白鍵共通基端部１８Ａ、１８Ｂ及び黒鍵共通基端部２８が前方から順に積層される。これら共通基端部１８Ａ、１８Ｂ、２８が当接状態で重ねられたものが、全鍵共通基端部ＫＴとなる。
【００３９】
本鍵盤装置において、白鍵本体１６、黒鍵本体２６の後部上方が、パネル部７３によって覆われている。黒鍵２０において、パネル部７３よりも前側の部分は、隣接する白鍵１０によって常時隠れる部分を除けば、演奏時に奏者から視認され得る部位である。この視認され得る部位を、「見えがかり部」と呼称する。具体的には、図１に示すように、前後方向において、黒鍵２０の黒鍵本体２６の、側面視における鉛直面Ｘ１から鉛直面Ｘ２に亘る部位が黒鍵２０の見えがかり部である。この見えがかり部の最後位置が２６ｐ１、最前位置が２６ｐ２で示される。
【００４０】
ハンマ体３０は、各々、フレーム４０のハンマ回動軸４３を中心に上下方向に回動（前端部及び後端部が上下に揺動）自在にハンマ回動軸４３に支持される。白鍵１０の前部には、垂下片１１が下方に垂設され、垂下片１１の下端部が、緩衝部材を含むハンマ駆動部１２となっている。黒鍵２０も同様である。
【００４１】
ハンマ体３０は、ハンマ回動軸４３と係合する係合凹部３１を有し、係合凹部３１より前方の前方延設部３０ｆと、係合凹部３１より後方の後方延設部３０ｒとを有して棒状に構成される。係合凹部３１は、後方に開口している。後方延設部３０ｒの後端部には、ハンマ体３０の全体の質量のうちのほとんどが集中している質量部３２が設けられる。前方延設部３０ｆには、長い下側係合部３３と短い上側係合部３４とからなる蟹のハサミ状の係合部が形成されている。
【００４２】
下側係合部３３及び上側係合部３４は、対応する白鍵１０、黒鍵２０のハンマ駆動部１２と常に係合状態にあり、ハンマ体３０が、対応する鍵に連動して往方向及び復方向の双方に回動するようになっている。詳細な図示はされていないが、ハンマ駆動部１２は、下側だけでなく上側にも側面視で弧状部分が形成されており、下側係合部３３と上側係合部３４とに摺動自在に挟まれた構成になっている。これにより、ハンマ体３０が、鍵１０、２０に対してがたつきなく押離鍵双方向に円滑に連動する。下側係合部３３、上側係合部３４のうち、ハンマ駆動部１２と直接に当接係合する部分が、被駆動部３３ａ、当接係合部３４ａである。
【００４３】
フレーム４０は、射出成形による一体成形で製造される。フレーム４０は、棚板１９の上に配設固定される。棚板１９は、楽器本体の一部であればよく、呼称は問わず、下ケースの底板等であってもよい。フレーム４０は、鍵並び方向全長に亘って一体に延設される部分を、鍵並び方向において互いに離間した複数の縦リブ４６で接続した構成を採る。
【００４４】
フレーム４０において、ストッパ取付部４７が最前部に設けられる。ストッパ取付部４７より後方で上方には、鍵ガイド連結部４９が設けられる。鍵ガイド連結部４９よりやや後方で且つ最下部には、前側支持部４１が設けられる。フレーム４０の後部の最下部には、後側支持部４５が設けられる。前側支持部４１及び後側支持部４５の下端は、棚板１９に直接当接する。フレーム４０は、前側支持部４１及び後側支持部４５の２箇所のみで、棚板１９に支持されている。すなわち、前側支持部４１及び後側支持部４５は、フレーム４０を棚板１９に支持するために棚板１９に当接する「本体当接部」である。
【００４５】
フレーム４０において、後側支持部４５から後側壁部６０が、前側への段差を形成して垂直に上方に立ち上がり、後側壁部６０の上部から、屈曲した部分を介して、板状部５４が、前方やや斜め下方に向かって一体に延設されている。板状部５４は、フレーム４０の前後方向中間付近であって、前側支持部４１よりも後方の位置まで延設されている。
【００４６】
特に、ストッパ取付部４７、鍵ガイド連結部４９、前側支持部４１、板状部５４は、上記した、「鍵並び方向全長に亘って一体に延設される部分」に該当する。これらと後側支持部４５及び後側壁部６０が、互いに縦リブ４６で一体に接続されている。縦リブ４６は、複数鍵に対して１つ設けられ、一例として、１オクターブあたり２〜３個設けられるが、数は問わない。
【００４７】
ストッパ取付部４７の下面には、ハンマ体３０の下側係合部３３と当接して、押鍵往行程におけるハンマ体３０の回動初期位置を規制するための初期ストッパ４８が取り付けられる。非押鍵状態では、ハンマ体３０は、質量部３２の重みによって後方延設部３０ｒが下がるので、初期ストッパ４８の下面に下側係合部３３が常時当接している。一方、下側係合部３３と白鍵１０、黒鍵２０のハンマ駆動部１２とは常時係合している。そのため、ハンマ体３０の回動初期位置が規制されることで、白鍵１０、黒鍵２０の押鍵初期位置である非押鍵位置も間接的に規制されるようになっている。
【００４８】
板状部５４の下面における前後方向中央付近の取り付け位置５４ｐ３（図２参照）には、ハンマ体３０の後方延設部３０ｒの質量部３２と当接してハンマ体３０の回動終了位置を規制するための終了ストッパ５５が取り付けられる。押鍵操作により、鍵１０、２０のハンマ駆動部１２がハンマ体３０の下側係合部３３の被駆動部３３ａを駆動し、ハンマ体３０が図１の反時計方向に回動する。そして、後方延設部３０ｒが終了ストッパ５５に当接すると、押鍵往行程における鍵１０、２０及びハンマ体３０の押鍵終了位置乃至回動終了位置が規制される。押鍵終了状態から離鍵操作すると、復行程となり、ハンマ体３０は、質量部３２の重みによって時計方向に回動し、初期位置に復帰する。その際、ハンマ体３０の被駆動部３３ａが、鍵１０、２０のハンマ駆動部１２を駆動し、鍵１０、２０が初期位置に復帰する。
【００４９】
初期ストッパ４８、終了ストッパ５５は、いずれも、フェルト等の緩衝機能を有する部材で構成され、鍵並び方向全長に亘って一体に設けられるが、ハンマ体３０毎に設けてもよい。なお、初期ストッパ４８、終了ストッパ５５としては、エラストマ等の軟質材を採用し、それぞれ２色成形による一体成形でフレーム４０と一体に形成してもよい。板状部５４の上面には、複数の基板取付部５６、５７が一体に形成され、基板取付部５６、５７に、基板５８が螺合固定される。
【００５０】
基板５８の上面５８ａにおける前後方向中央付近の取り付け位置５８ｐ１（図２参照）には、各鍵に対応する鍵スイッチ５９が配設される。上面５８ａは水平であるので、鍵スイッチ５９の下面が鍵スイッチ５９の最下位置５９ｐ１となる。鍵スイッチ５９は、対応する鍵１０、２０に押圧されて、当該鍵１０、２０の押鍵動作を検出する。楽器本体には、不図示の楽音発生装置が備えられ、鍵スイッチ５９の検出結果に基づいて楽音が発生するようになっている。
【００５１】
鍵ガイド連結部４９からは、鍵ガイド部５０が上方に一体に突設形成される。鍵ガイド部５０は、各鍵に対応して設けられ、対応する鍵の揺動動作をガイドする。鍵ガイド部５０としては、フレーム４０とは別体に形成したものを固着して設けてもよい。前側支持部４１の上面４１ａからは、一対の突設片４２が各ハンマ体３０に対応して突設形成されている。一対の突設片４２の間に、上記したハンマ回動軸４３が形成される。
【００５２】
前側支持部４１にはまた、複数のボス４４が一体に形成されている。さらに、図示はしないが、後側支持部４５にも、複数のボスが一体に形成されている。これらボス４４等に設けられた不図示のネジ穴に、下方から棚板１９を螺合固定することで、楽器本体にフレーム４０が固定される。
【００５３】
上記した初期ストッパ４８、鍵ガイド部５０、ハンマ回動軸４３、鍵スイッチ５９、終了ストッパ５５は、いずれも、本鍵盤装置の使用時に、本鍵盤装置の構成要素のうちフレーム４０以外の構成要素と当接係合するものであり、フレーム４０に、鍵１０、２０及びハンマ体３０を適切に支持する鍵フレーム乃至ハンマフレームとしての機能を果たさせるための構成要素である。これらの構成要素を、「フレーム機能部」と呼称する。前側支持部４１、後側支持部４５についても、それら自身が棚板１９に直接当接して固定される機能を有するので、「フレーム機能部」にも相当する。
【００５４】
一方、鍵ガイド連結部４９は、鍵ガイド部５０が配設される部分である。ストッパ取付部４７は、初期ストッパ４８が取り付けられる部分である。板状部５４は、終了ストッパ５５が取り付けられると共に、基板取付部５６、５７を介して基板５８及び鍵スイッチ５９が取り付けられる部分である。前側支持部４１は、ハンマ回動軸４３が一体に形成される部分である。これら鍵ガイド連結部４９、ストッパ取付部４７、板状部５４、前側支持部４１を、「機能部配設部」と呼称する。この「機能部配設部」を定義すると、「フレーム４０に一体に形成され、フレーム機能部が配設されて、配設されたフレーム機能部を介して外力を受ける部分」である。
【００５５】
上記した鍵ユニットは、事前に一体的に組み付けられて、全鍵共通基端部ＫＴがフレーム４０に取り付けられる。すなわち、フレーム４０の後側壁部６０に対して、全鍵共通基端部ＫＴが後方からネジ７２によって締結固定される。
【００５６】
ハンマ体３０は、フレーム４０への組み付け時には、ハンマ体３０の長手方向を前後方向にほぼ平行にした姿勢で、前方からフレーム４０内に挿入される。ハンマ体３０の係合凹部３１が後方に開口しているので、ハンマ体３０を後方に平行移動させていくと、係合凹部３１がハンマ回動軸４３に自然に嵌合される。
【００５７】
図２に示すように、白鍵本体１６、黒鍵本体２６とヒンジ部１７、２７との接続位置を「Ｐ１」、ヒンジ部１７、２７と共通基端部１８Ａ、１８Ｂ、２８との接続位置を「Ｐ２」とする。また、後側壁部６０の、全鍵共通基端部ＫＴが当接する部位のうち、ネジ７２の軸中心が通る位置を、フレーム４０における「締結用部位Ｐ３」とする。
【００５８】
また、接続位置Ｐ１、Ｐ２、締結用部位Ｐ３の高さを、それぞれ「Ｈ１」、「Ｈ２」、「Ｈ３」とする。基板５８の上面５８ａは水平で、取り付け位置５８ｐ１の高さは上面５８ａの高さと同じであり、この高さを「Ｈ４」とする。押鍵往行程においては、ハンマ体３０の後端部である質量部３２が上方に変位するが、回動終了状態におけるハンマ体３０の最上位置を「Ｈ５」とする。全鍵共通基端部ＫＴの最下位置を「Ｈ６」とする。
【００５９】
ここで、位置関係を明確にしておく。ハンマ体３０の後端位置３２ｐ１は、ハンマ体３０の回動全行程において常に最も後端に位置する部位である。図１に示すように、この後端位置３２ｐ１は、黒鍵２０の見えがかり部の最後位置２６ｐ１よりも前方に位置する。また、ハンマ回動軸４３は、黒鍵２０の見えがかり部の最前位置２６ｐ２よりも後方に位置する。すなわち、ハンマ体３０の後方延設部３０ｒは、鉛直面Ｘ１から鉛直面Ｘ２までの間に収まる長さになっていて、コンパクトになっている。
【００６０】
また、係合凹部３１（乃至ハンマ回動軸４３）から後端位置３２ｐ１までの距離が短くなることで、ハンマ体３０が揺動する際の後端位置３２ｐ１の上下ストローク範囲も小さくなる。その結果、本鍵盤装置の上下方向の寸法もコンパクトにすることが容易となる。
【００６１】
また、図２に示すように、板状部５４は、黒鍵２０の見えがかり部の最後位置２６ｐ１よりも前方に位置し、且つ、締結用部位Ｐ３の高さＨ３よりも上方に位置する。これにより、全鍵共通基端部ＫＴの前方下方の限られたスペース内でハンマ体３０の回動範囲を確保することができる。しかも、鍵スイッチ５９は、板状部５４の上方に配設されるので、ハンマ体３０の回動範囲に影響を与えず、上下方向において鍵盤装置が必要以上に拡大することもない。
【００６２】
ここで、基板５８上に配設された鍵スイッチ５９の最下位置５９ｐ１の高さＨ４は、上下方向において、接続位置Ｐ１、Ｐ２間（高さＨ１〜Ｈ２間）に位置する。従って、当然に、最下位置５９ｐ１は、接続位置Ｐ２や締結用部位Ｐ３よりも上方である。これにより、鍵スイッチ５９の下方のスペースを大きく確保でき、ハンマ体３０の回動範囲が確保しやすくなっている。
【００６３】
図２に示すように、終了ストッパ５５が配設される板状部５４は、上下方向において、接続位置Ｐ１と締結用部位Ｐ３との間（高さＨ１〜Ｈ３間）に位置し、特に、接続位置Ｐ２の高さＨ２と略同一高さに配設されている。板状部５４の位置を厳密に考えるならば、まず、板状部５４を、斜めになっている１枚の平板として捉えた場合、板状部５４において、後部である根本の上面が最上位置５４ｐ１で、下面前端が最下位置５４ｐ２となる。そして、終了ストッパ５５が取り付けられている取り付け位置５４ｐ３が、接続位置Ｐ２と略同一高さである。あるいは、最上位置５４ｐ１と最下位置５４ｐ２との間に接続位置Ｐ２の高さＨ２が位置するとも表現できる。
【００６４】
これらにより、ハンマ体３０の回動範囲を確保すると共に、終了ストッパ５５の厚みを適切に確保しつつ、フレーム４０の高さを抑えることができる。また、板状部５４の上方において、鍵スイッチ５９の配設スペースを確保すると共に、鍵スイッチ５９の厚みも適切に確保しやすい。さらに、板状部５４の下側に終了ストッパ５５が配設される一方、板状部５４の上方に（基板５８を介して）鍵スイッチ５９が配設される結果、鍵スイッチ５９の下方に板状部５４が配置される構成となっている。そのため、鍵盤装置後部に鍵スイッチ５９と板状部５４とを集中配置し、部品配置効率を高めて、装置のコンパクト化に寄与している。
【００６５】
また、回動終了位置におけるハンマ体３０の最上位置Ｈ５（図２参照）に対して、全鍵共通基端部ＫＴの最下位置Ｈ６の方が低い。これにより、設計上、全鍵共通基端部ＫＴを鉛直方向に延設するのが容易であり、実際、本実施の形態では、鉛直に延設されている。これにより、鍵１０、２０の全長が短くなり、鍵盤装置を前後方向にコンパクトにしやすくなっている。
【００６６】
また、ヒンジ部１７、２７が鉛直方向に延設されているので、特開２００８−２６４０３号公報で示されたのと同様に、鍵１０、２０は、押鍵により、ヒンジ部１７、２７の上部が前方に撓む。そのため、ヒンジ部１７、２７の撓みは、ある押鍵点の、全鍵共通基端部ＫＴを中心とした回動移動による後方への変位を相殺する方向に作用する。従って、ある押鍵点の実質的な軌跡は、アコースティックグランドピアノのような長尺で鍵下部に支点を有する鍵における押鍵点の軌跡に近いものとなる。従って、押鍵面１６ａ、２６ａの軌跡を良好にして、表現力向上にとってより好ましい状態にすることができる。
【００６７】
また、上記した機能部配設部のうち複数である鍵ガイド連結部４９、板状部５４が、上下方向において、フレーム４０の上部である、接続位置Ｐ１と締結用部位Ｐ３との間（高さＨ１〜Ｈ３間）に集中配置されたので、ハンマ体３０の回動範囲を確保しやすく、フレーム４０の高さも抑えることができる。なお、この観点からは、鍵ガイド連結部４９、板状部５４以外の機能部配設部についても、高さＨ１〜Ｈ３間に配置してもよい。
【００６８】
また、上記したように、フレーム４０において、前側支持部４１及び後側支持部４５だけが、棚板１９に当接する部分である「本体当接部」である。そして、これら本体当接部とハンマ回動軸４３とを除くフレーム機能部のすべてが、フレーム４０の上部である、全鍵共通基端部ＫＴの最下位置Ｈ６よりも上方に集中配置されている。これによっても、ハンマ体３０の回動範囲を確保しやすく、フレーム４０の高さも抑えることができる。
【００６９】
本実施の形態によれば、限られたスペース内でハンマ体３０の回動範囲を確保しつつ、前後方向において鍵盤装置全体をコンパクトにすることができる。
【００７０】
すなわち、鍵ユニットＵＮＴにおいて、ヒンジ部１７、２７が、押鍵面１６ａ、２６ａとは直角を成し、鉛直方向及び鍵並び方向に平行であるので、鍵１０、２０の先端位置から接続位置Ｐ２までの前後方向における距離を短くすることができ、鍵１０、２０の前後方向の寸法を短くでき、鍵盤装置の奥行き寸法を抑えることができる。また、ハンマ体３０の後方延設部３０ｒは、黒鍵２０の見えがかり部の最後位置２６ｐ１から最前位置２６ｐ２までの間に収まる長さになっているので、ハンマ体３０の前後方向の長さを抑制することができる。
【００７１】
さらに、板状部５４は、黒鍵２０の見えがかり部の最後位置２６ｐ１よりも前方に位置し、且つ、締結用部位Ｐ３よりも上方に位置するので、全鍵共通基端部ＫＴの前方下方の限られたスペース内でハンマ体３０の回動範囲を確保することができる。
【００７２】
また、初期ストッパ４８、終了ストッパ５５は、前後方向において、ハンマ回動軸４３を挟んでそれぞれ前側、後側に分散して配設されたので、ハンマ体３０の回動範囲を確保しやすい。それだけでなく、初期ストッパ４８、終了ストッパ５５が取り付けられるストッパ取付部４７、板状部５４の位置が前後方向において重ならないので、フレーム４０の一体成形容易化のためにあえて両者をずらして奥行き寸法が拡大するようなことがなく、フレーム４０の前後方向の長さ短縮に寄与する。
【００７３】
なお、ヒンジ部１７、２７は、鉛直方向に延設されたが、鍵盤装置の奥行き寸法を極力抑えると共に、押鍵面１６、２６ａの軌跡を良好にする観点に限れば、押鍵面２６ａに対して極力直角に近い角度をなして交差し、且つ鍵並び方向に平行に形成されていればよい。
【００７４】
なお、各鍵１０、２０が鍵ユニットの一部として構成されたものを例示したが、各鍵１０、２０が単体で構成されるものについても、本発明を適用可能である。
【００７５】
なお、ハンマ体３０の係合凹部３１とフレーム４０のハンマ回動軸４３との雄雌関係は、逆にしてもよい。
【００７６】
なお、フレーム４０の前後長さを短縮する観点からは後退するが、図３に、変形例の鍵盤装置の後半部の側面を示すように、全鍵共通基端部ＫＴを、鉛直方向でなく水平方向に延設してもよい。
【図面の簡単な説明】
【００７７】
【図１】本発明の一実施の形態に係る鍵盤装置の内部構成を示す側面図である。
【図２】本鍵盤装置において鍵が押鍵されている状態を示す側面図である。
【図３】変形例の鍵盤装置の後半部の側面を示す図である。
【符号の説明】
【００７８】
１０  白鍵、  １６  白鍵本体（鍵本体部）、  １６ａ、２６ａ  押鍵面、  １７、２７  ヒンジ部、  １８Ａ、１８Ｂ  白鍵共通基端部、  １９  棚板（楽器本体）、  ２０  黒鍵、  ２６  黒鍵本体（鍵本体部）、  ２６ｐ１  最後位置、  ２６ｐ２  最前位置、  ２８  黒鍵共通基端部、  ３０  ハンマ体、  ３０ｆ  前方延設部（前半部）、  ３０ｒ  後方延設部、  ３２  質量部（後端部）、  ３２ｐ１  後端位置、  ４０  フレーム、  ４１  前側支持部（フレーム機能部、機能部配設部、本体当接部）、  ４３  ハンマ回動軸（ハンマ支持部、フレーム機能部）、  ４５  後側支持部（フレーム機能部、本体当接部）、  ４７  ストッパ取付部（機能部配設部）、  ４８  初期ストッパ（フレーム機能部）、  ４９  鍵ガイド連結部（機能部配設部）、  ５０  鍵ガイド部（フレーム機能部）、  ５４  板状部（検出手段配設部、終了ストッパ配設部、機能部配設部）、  ５５  終了ストッパ（フレーム機能部）、  ５９  鍵スイッチ（検出手段、フレーム機能部）、  ５９ｐ１  最下位置、  ７２  ネジ（締結手段）、  ＫＴ  全鍵共通基端部、  Ｐ１  接続位置、  Ｐ２  接続位置、  Ｐ３  締結用部位、  Ｈ５  最上位置、  Ｈ６  最下位置
【図１】
2010078788.tif 000003
【図２】
2010078788.tif 000004
【図３】
2010078788.tif 000005